(57)【要約】【課題】仲介サーバーと転換サーバーとを組み合せ、気象情報、地図案内情報などの多様化した情報を提供する。【解決手段】情報表示器は、複数の情報供給端末１、転換サーバー２、少なくとも１つの表示器５および定義されたデータ６が保存される仲介サーバ４を備える。情報供給端末１は、供給者が異なり、かつ異なるメディア情報を別々に保存する。転換サーバー２は、ネットワークによって情報供給端末から提供されたメディア情報を獲得し、メディア情報に統合、転換処理を行い、統合されたメディア情報を保存ユニットに保存する。表示器５は、設定に用いられる操作インターフェースを有し、仲介サーバー４は表示器５に権限コードを分配し、権限コードは表示器のメモリーに保存される。表示器５は、選び出された情報を仲介サーバー４に伝送、保存する。定義されたデータ６は、仲介サーバー４内に保存される。【選択図】  図１
0003155435.tif 000002
【実用新案登録請求の範囲】
【請求項１】
複数の情報供給端末、転換サーバー、少なくとも１つの表示器および定義されたデータが保存される仲介サーバーを備え、
前記複数の情報供給端末は、供給者が異なり、かつ異なるメディア情報を別々に保存し、前記メディア情報は、外部からネットワークを介して保存および読取を行うことが可能であり、
前記転換サーバーは、前記ネットワークによってそれぞれの前記情報供給端末から提供された前記メディア情報を獲得し、前記メディア情報に統合、転換処理を行い、そののち統合された前記メディア情報を保存ユニットに保存し、前記保存ユニットは、前記メディア情報一つに一つずつアドレスを分配し、前記アドレスは、前記仲介サーバーに伝送保存され、
前記表示器は、設定に用いられる操作インターフェースを有し、前記仲介サーバーは、前記表示器に権限コードを分配し、前記権限コードは前記表示器のメモリーに保存され、前記表示器は、選び出された情報を前記仲介サーバーに伝送、保存し、
前記仲介サーバー内に保存される前記定義されたデータは、前記仲介サーバーに接続される前記表示器上の前記選び出された情報を有し、前記選び出された情報は、前記表示器の前記権限コードと、選び出された前記情報供給端末の形態と、前記情報供給端末に対応しかつ前記保存ユニット内に保存される前記アドレスとを含み、前記仲介サーバーは、定義されたデータを前記表示器に伝送し、前記表示器は、前記定義されたデータ内の前記アドレスによって前記保存ユニットに接続し、対応する前記メディア情報をダウンロードすることを特徴とする情報表示器。
【請求項２】
前記保存ユニットは、ネットワークハードディスクサーバー、外部の業者の保存空間、保存サービス業者の保存空間または転換サーバーの保存空間であることを特徴とする請求項１に記載の情報表示器。
【請求項３】
前記操作インターフェースは、前記表示器の回りに配置される接触式フレームを有することを特徴とする請求項１に記載の情報表示器。
【請求項４】
前記ネットワークは、有線ネットワーク、無線ネットワーク、衛星情報、３Ｇ、３．５Ｇ、ＷＩＭＡＸおよびＧＰＲＳのうちの任意の一つであることを特徴とする請求項１に記載の情報表示器。
【請求項５】
前記情報供給端末は、気象情報、地図案内情報、行楽情報、カレンダー情報または別の情報形態うちの任意の一つを有することを特徴とする請求項１に記載の情報表示器。
【請求項６】
前記定義されたデータは、前記表示器を指示する連続ステップおよび動作指令を含むことを特徴とする請求項１に記載の情報表示器。
【請求項７】
前記表示器は、予め設定された前記情報供給端末の形態を提供することによって前記仲介サーバーに特定の前記定義されたデータを請求することが可能であることを特徴とする請求項１に記載の情報表示器。
【請求項８】
前記権限コードは、前記表示器での放送可能なメディア情報のサービス内容を制限することを特徴とする請求項１に記載の情報表示器。
【考案の詳細な説明】
【技術分野】
【０００１】
本考案は、情報表示器に関し、詳しくは、気象情報、走行地図の道路状況などの様々な情報を選択し、時間帯によって即時表示することを可能にする装置に関するものである。
【背景技術】
【０００２】
図３に示すように、従来のアルバム表示装置は、一つ以上のデジタルフォトフレーム７１、仲介サーバー７２および画像保存端末７３を備える。使用者がデジタルフォトフレーム７１に表示したい画像を選び出すと、仲介サーバー７２は選び出された画像に対応するアドレスをデジタルフォトフレーム７１に伝送し、デジタルフォトフレーム７１はこのアドレスによって画像保存端末７３に接続し、選び出された画像をデジタルフォトフレーム７１にダウンロードし、表示する。
【０００３】
言い換えれば、上述の画像保存端末７３は版権がある画像情報または無版権画像情報を保存可能である。版権がある画像情報を保存するには、直接版権者に問い合わせ、購入手続きを行なう必要があるため、非常に不便である。それに対し、メーカーが市場において仲介サーバー７２およびデジタルフォトフレーム７１を生産および販売し、かつ画像版権者と契約を結んだ後、画像版権者が画像保存端末７３内の画像をメーカーの仲介サーバー７２を介して消費者のデジタルフォトフレーム７１に伝送、表示するというビジネスモデルが登場した。言い換えれば、このような方法が採用された理由は、消費者が常に不利な立場に置かれているため、メーカーの交渉によって品質の比較的よいビジネスサービスを獲得し、デジタルフォトフレーム７１による利便性および生活品質を向上させることを可能にするからである。
【０００４】
上述のデジタルフォトフレーム７１は画像情報表示機能を提供するのみであるため、消費者から新しい変化および生活上の利便性の向上が求められているという市場現況に応え、消費者の全面的な需要を満足させることができない。従って、上述の製品には改善の余地がある。
【考案の概要】
【考案が解決しようとする課題】
【０００５】
本考案の主な目的は、上述の問題を解決するため、仲介サーバーと転換サーバーとを組み合せ、気象情報、地図案内情報などの多様化した情報を提供することによって消費者端に豊富な情報を与え、表示器の使用上の利便性および生活品質を向上させることを可能にする情報表示器を提供することである。
【課題を解決するための手段】
【０００６】
上述の目的を達成するために、本考案による情報表示器は、複数の情報供給端末、転換サーバー、少なくとも１つの表示器および定義されたデータを備える。
複数の情報供給端末は、供給者が異なり、かつ異なるメディア情報を別々に保存し、メディア情報は、外部からネットワークによって保存および読取を行うことが可能である。
転換サーバーは、ネットワークによってそれぞれの情報供給端末から提供されたメディア情報を獲得し、メディア情報に統合、転換処理を行い、そののち統合されたメディア情報を保存ユニットに保存する。保存ユニットは、メディア情報一つに一つずつアドレスを分配し、アドレスは仲介サーバーに伝送、保存される。
少なくとも１つの表示器は、設定に用いられる操作インターフェースを有し、仲介サーバーは表示器に権限コードを分配し、権限コードは表示器のメモリーに保存される。表示器は、選び出された情報を仲介サーバーに伝送、保存する。
定義されたデータは、仲介サーバー内に保存され、かつ仲介サーバーに接続される表示器上の選び出された情報を有する。選び出された情報は、表示器の権限コードと、選び出された情報供給端末の形態と、情報供給端末に対応しかつ保存ユニット内に保存されるアドレスとを含む。仲介サーバーは、定義されたデータを表示器に伝送し、表示器は定義されたデータ内のアドレスによって保存ユニットに接続し、対応するメディア情報をダウンロードする。
【０００７】
本考案の上述した説明、別の目的および特徴は、下記の実施形態の詳細な説明および図面によって詳しく理解することが可能である。
【０００８】
本考案に提示された実施形態は、本明細書によって詳細に説明され、その構造は図面によって明示されるが、説明のための一例に過ぎないため、本考案の一部分の部品に効果が同等の変更を行うことは認められるべきである。
【図面の簡単な説明】
【０００９】
【図１】本考案の一実施形態による情報表示器と伝送構築とを組み合わせた状態を示すブロック図である。
【図２】本考案の一実施形態において配置された定義されたファイルを示す説明図である。
【図３】従来のアルバム表示装置と伝送構築とを組み合わせた状態を示すブロック図である。
【考案を実施するための形態】
【００１０】
以下、本考案の実施の形態を図面に基づいて説明する。
（一実施形態）
図１から図２に示すのは、説明するために本考案の情報表示器の一実施形態の構造である。本考案の請求範囲はこの構造に制限されることではない。
【００１１】
本考案の一実施形態による情報表示器は、複数の情報供給端末１、転換サーバー２、少なくとも１つの表示器５および定義されたデータ６を備える。
【００１２】
複数の情報供給端末１は、供給者が異なり、かつ異なるメディア情報を別々に保存する。メディア情報は、外部からネットワークによって保存および読取を行うことが可能である。本実施形態では、情報供給端末１は、気象情報１１、地図案内情報１２、例えばＧＰＳ（Global Positioning System）、行楽情報１３、カレンダー情報１４または別の情報形態うちの任意の一つである。メディア情報が気象情報である場合、所在地域の地図を背景にし、時間の進行によって変化する雲層分布を表示するか、性質が同様な気象用表記情報を表示することが可能である。
【００１３】
転換サーバー２は、ネットワークによってそれぞれの情報供給端末１から提供されたメディア情報を獲得し、メディア情報に統合、転換処理を行い、そののち統合されたメディア情報を保存ユニット３に保存する。本実施形態では、保存ユニット３は、ネットワークハードディスクサーバー、外部の業者の保存空間、保存サービス業者の保存空間または転換サーバーの保存空間などにすることが可能である。保存ユニット３は、メディア情報１つに対し、１つずつアドレスを分配するように設計される。アドレスは、転換サーバー２によって仲介サーバー４に伝送、保存される。上述のメディア情報は時間によって即時更新され、再び保存ユニット３内に保存されるため、本来のメディア情報を更新することが可能である。詳しく言えば、それぞれの情報供給端末１のメディア情報が変更されたとき、転換サーバー２によってそれぞれの情報供給端末１からのメディア情報を受信し、比較的新しいメディア情報に統合、転換処理を行ない、そののち保存ユニット３に伝送し、情報を更新することが可能である。
【００１４】
少なくとも１つの表示器５は、手動で設定を行なう操作インターフェースを有する。本実施形態では、操作インターフェースは、表示器５の回りに配置される接触式フレーム５１を有し、接触式フレーム５１によって表示器５の画面上に情報を読み取り、選択設定を行なう。仲介サーバー４は表示器５に権限コードを分配し、権限コードは表示器５の一つのメモリー５２に保存される。権限コードは、表示器５での放送可能なメディア情報のサービス内容を制限する。つまり、表示器５は、無料のメディア情報しか放送できないか、或いは有料のメディア情報を放送可能である。制限条件が異なる場合もある。
【００１５】
表示器５は、表示器５において選び出された情報を仲介サーバー４に伝送、保存することが可能である。仲介サーバー４は、ネットワークによって選び出された情報と一致するメディア情報のアドレスを表示器５に伝送し、表示器５はアドレスによって保存ユニット３に接続し、対応するメディア情報をダウンロードする。
【００１６】
定義されたデータ６は、表示器５の内部作業を指示する連続ステップおよび動作指令を含む。定義されたデータ６は、仲介サーバー４内に保存され、かつ仲介サーバー４に接続される表示器５上の選び出された情報を有する。選び出された情報は、図２に示すように、表示器５の権限コード（例えばＡ、Ｂ、Ｃなど）と、選び出された情報供給端末１のメディア情報の形態と、情報供給端末１に対応しかつ保存ユニット３内に保存されるアドレスとを含む。仲介サーバー４は、定義されたデータ６を表示器５に伝送し、表示器５は定義されたデータ６内のアドレスなどの情報によって保存ユニット３に接続し、対応するメディア情報をダウンロードする。
【００１７】
表示器５は、予め設定された情報供給端末１の形態を提供することによって仲介サーバー４に特定の定義されたデータ６を請求することが可能である。例えば、表示器５は、行楽情報しか放送できないように設定できる。
【００１８】
本実施形態では、上述のネットワークは有線ネットワーク、無線ネットワーク、衛星情報、３Ｇ、３．５Ｇ、ＷＩＭＡＸ(Worldwide Interoperability for Microwave Access)およびＧＰＲＳなどのうちの任意の一つである。
【００１９】
詳しく言えば、図１および図２に示すように、消費者（または商社）が必要に応じ、自宅内、事務所、店頭、公共場所、車内または別の場所に本実施形態による情報表示器を設置すれば、表示器５上の接触式フレーム５１によって情報の読取、閲覧および選択を行なうことが可能である。消費者が情報供給端末１のメディア情報、例えば気象情報または地図案内情報（ＧＰＳ）を選び出せば、選び出された両者に対応する信号は、ネットワークによって仲介サーバー４に伝送され、仲介サーバー４は選び出された信号を定義されたデータ６に保存し、そして保存ユニット３内のこのメディア情報に対応するアドレスを統合し、定義されたデータ６内に保存する。これは表示器５の権限コードＡ、情報供給端末１の形態および対応するアドレスなどの情報の如くである。また転換サーバー２が選び出された信号によって対応するアドレスをネットワークおよび仲介サーバー４を介して表示器５に伝送すると、表示器５はアドレスによってネットワークを介して保存ユニット３に接続し、気象情報または地図案内情報をダウンロードすることが可能である。
【００２０】
本実施形態の図１には表示器５が一つしか配置されていないが、実際に転換サーバー２はネットワークを介して複数の表示器に接続可能なように設計される。図２に示すように、別の表示器の権限コードは別々にＢ、Ｃ、Ｄなどの順に表記され、簡略に説明される。詳しく言えば、メーカーは一対複数の方式によって比較的よい経済効果を達成することが可能である。
【００２１】
上述したとおり、本考案は、従来の技術に優れたことが判明した。つまり従来の技術は画像表示機能のみを提供するのに対し、本考案は新しい構築を考案し、この構築によって表示器に画像表示機能と多様化した情報を表示可能な機能とを兼ね備えさせることが可能であるため、使用上の利便性および生活品質を向上させることが可能となる。
【００２２】
上述した実施形態は、本考案を制限するためでなく、本考案を説明するための一例であるため、数値を変更するか効果が同等の部品に取り替えることは本考案の請求範囲に属するべきである。
【００２３】
本考案の技術を熟知している人は、上述の説明によって本考案が本考案の目的を確実に達成可能であることを理解できると考えられるため、実用新案法の規定を満たし、登録請求を提出する。
【符号の説明】
【００２４】
１：情報供給端末：１１：気象情報、１２：地図案内情報、１３：行楽情報、１４：カレンダー情報、２：転換サーバー、３：保存ユニット、４：仲介サーバー、５：表示器、５１：接触式フレーム、５２：メモリー、６：定義されたデータ、７１：デジタルフォトフレーム、７２：仲介サーバー、７３：画像保存端末
【図１】
0003155435.tif 000003
【図２】
0003155435.tif 000004
【図３】
0003155435.tif 000005
【手続補正書】
【提出日】平成21年9月10日(2009.9.10)
【手続補正１】
【補正対象書類名】実用新案登録請求の範囲
【補正対象項目名】請求項４
【補正方法】変更
【補正の内容】
【請求項４】
前記ネットワークは、有線ネットワーク、無線ネットワーク、衛星情報ネットワーク、３Ｇ、３．５Ｇ、ＷＩＭＡＸおよびＧＰＲＳのうちの任意の一つであることを特徴とする請求項１に記載の情報表示器。